(57)【特許請求の範囲】
【請求項１】
紙幣識別機、カードユニット、主制御部及び電源部を有する台間機本体を島内に取り付けたフレーム枠に対し脱着可能に装着してなる遊技媒体貸出用台間機において、
上記主制御部は、台間機本体の側壁に固定された基板ケースと、この基板ケース内に収容された制御基板とを有してなり、
上記電源部の電源コネクタ、及び上記主制御部の制御基板に対して一端が基板ケースに設けた挿入口を通して接続されたケーブルの他端のケーブルコネクタは、それぞれ台間機本体の背面部に後向きに設けられている一方、上記フレーム枠には、上記電源コネクタに対応して電源コード側コネクタが前向きに設けられているとともに、上記ケーブルコネクタに対応して外部通信用コネクタが前向きに設けられていて、台間機本体をフレーム枠に差し込んで装着する時上記電源コネクタ及びケーブルコネクタが、それぞれ電源コード側コネクタ及び外部通信用コネクタに接続し合うように構成されており、
上記ケーブルコネクタは、台間機本体の背面板より後方に突出して設けられている一方、上記電源コネクタは、台間機本体の背面板よりも正面寄りに設けた取付プレートに取り付けられ、かつ背面板に設けた開口部を通して背面に面するように設けられており、
上記外部通信用コネクタは、フレーム枠の垂直部に基板面を前後方向に向けた状態で取り付けた外部通信用制御基板上に設けられており、この外部通信用制御基板の背面側には外部機器と接続するためのコネクタが設けられており、
上記主制御部は、台間機本体をフレーム枠に装着した時電源ＯＮ状態となりかつ外部通信用コネクタと接続状態となり、外部機器と通信可能になることによって制御を開始し、自己機能チェックが作動するように設けられていることを特徴とする遊技媒体貸出用台間機。
【請求項２】
上記主制御部の自己機能チェックは、少なくとも断線チェック及び外部機器との間での通信テストを含んでなる請求項１記載の遊技媒体貸出用台間機。
【請求項３】
上記主制御部は、下ケースと上ケースとからなる基板ケース内に２枚の制御基板を二層構造で収納してなり、１枚目の制御基板は、下ケースと上ケースとの合わせ面上に支持されており、２枚目の制御基板は、下ケースの底部から突出して形成され上ケース側にまで延びる支持突起部上に支持されている請求項１又は２記載の遊技媒体貸出用台間機。
【請求項４】
上記基板ケースの上ケースには、バックアップ用電池を収納する凹部が形成されているとともに、この凹部を覆うカバーが取り外し可能に装着されている請求項３記載の遊技媒体貸出用台間機。
【発明の詳細な説明】
【０００１】
【発明の属する技術分野】
本発明は、隣接する遊技機に使用する遊技媒体の貸出処理を行う遊技媒体貸出用台間機に関し、特に、台間機本体が島内に取り付けたフレーム枠に対し脱着可能に装着されたものに係わる。
【０００２】
【従来の技術】
一般に、パチンコホール等の遊技場においては、遊技者の便宜を図るために、パチンコ機やスロットマシン等の各遊技機の側方に、カード又は現金の投入によってパチンコ球やメダル等の遊技媒体を貸し出す台間機が設置されている。
【０００３】
そして、この種の台間機は、通常、修理・点検時の作業を容易にするために、例えば特開平１０−１６５６３５号公報に開示されるように、紙幣識別機やカード処理装置等を有する台間機本体とフレーム枠とに分離され、フレーム枠を遊技島内に固定し、このフレーム枠に対し台間機本体を前後方向に差し込んで取り付けたり、引き抜いて取り外したりすることができるようになっている。また、台間機本体の下部に設けられる電源部のコネクタは、後向きに取り付けられ、台間機本体をフレーム枠に取り付ける時フレーム枠に設けた開口部を通して後方に面して電源コード側のコネクタと接続されるようになっている。
【０００４】
【発明が解決しようとする課題】
ところが、島内に取り付けたフレーム枠の後方は、現金搬送装置等の各種部材・部品が配置されてスペース的に非常に狭くなっているため、台間機本体をフレーム枠に取り付けた後に電源部のコネクタと電源コード側のコネクタとを接続することが面倒な作業であるという問題があった。
【０００５】
本発明はかかる点に鑑みてなされたものであり、その課題とするところは、台間機本体の下部に設けられる電源部の配線構造などを改良し、台間機本体をフレーム枠に取り付ける時の配線作業の容易化を図り得る遊技媒体貸出用台間機を提供せんとするものである。
【０００６】
【課題を解決するための手段】
上記の課題を解決するため、請求項１に係る発明は、紙幣識別機、カードユニット、主制御部及び電源部を有する台間機本体を島内に取り付けたフレーム枠に対し脱着可能に装着してなる遊技媒体貸出用台間機において、以下のような構成にする。
すなわち、上記主制御部を、台間機本体の側壁に固定された基板ケースと、この基板ケース内に収容された制御基板とを有する構成にし、上記電源部の電源コネクタ、及び上記主制御部の制御基板に対して一端が基板ケースに設けた挿入口を通して接続されたケーブルの他端のケーブルコネクタを、それぞれ台間機本体の背面部に後向きに設ける一方、上記フレーム枠に、上記電源コネクタに対応して電源コード側コネクタを前向きに設けるとともに、上記ケーブルコネクタに対応して外部通信用コネクタを前向きに設けて、台間機本体をフレーム枠に差し込んで装着する時上記電源コネクタ及びケーブルコネクタが、それぞれ電源コード側コネクタ及び外部通信用コネクタに接続し合うように構成する。また、上記ケーブルコネクタを、台間機本体の背面板より後方に突出して設ける一方、上記電源コネクタを、台間機本体の背面板よりも正面寄りに設けた取付プレートに取り付け、かつ背面板に設けた開口部を通して背面に面するように設ける。上記外部通信用コネクタを、フレーム枠の垂直部に基板面を前後方向に向けた状態で取り付けた外部通信用制御基板上に設け、この外部通信用制御基板の背面側に外部機器と接続するためのコネクタを設ける。さらに、上記主制御部を、台間機本体をフレーム枠に装着した時電源ＯＮ状態となりかつ外部通信用コネクタと接続状態となり、外部機器と通信可能になることによって制御を開始し、自己機能チェックが作動するように設ける構成とする。
この構成では、台間機本体をフレーム枠に差し込んで装着する時、その差し込み動作に伴って台間機本体の電源部の電源コネクタとフレーム枠に設けた電源コード側コネクタとが接続し合うとともに、台間機本体の主制御部の制御基板に一端が接続されたケーブルの他端のケーブルコネクタとフレーム枠に設けた外部通信用コネクタとが同じく差し込み動作に伴って接続し合うため、修理・点検時での配線作業がその分容易なものになる。しかも、台間機本体をフレーム枠に装着した時には、主制御部が断線チェックや外部通信チェック等の自己機能チェックを行うため、作業者によるチェック作業を省略又は簡略にすることができる。
【０００７】
請求項２に係る発明は、請求項１記載の遊技媒体貸出用台間機において、上記主制御部の自己機能チェックの具体例を提供するものである。すなわち、主制御部の自己機能チェックは、少なくとも断線チェック及び外部機器との間での通信テストを含んでなる構成にする。
【０００８】
請求項３に係る発明は、請求項１又は２記載の遊技媒体貸出用台間機において、台間機本体に含まれる主制御部の好ましい形態を提供するものである。すなわち、上記主制御部を、下ケースと上ケースとからなる基板ケース内に２枚の制御基板を二層構造で収納して構成し、１枚目の制御基板を、下ケースと上ケースとの合わせ面上に支持するとともに、２枚目の制御基板を、下ケースの底部から突出して形成され上ケース側にまで延びる支持突起部上に支持する構成とする。この構成では、基板ケース内に２枚の制御基板を二層構造で収納して主制御部を構成することにより、主制御部のコンパクト化が図られる。
【０００９】
請求項４に係る発明は、請求項３記載の遊技媒体貸出用台間機において、上記基板ケースの上ケースに、バックアップ用電池を収納する凹部を形成するとともに、この凹部を覆うカバーを取り外し可能に装着する構成とする。この構成では、主制御部のバックアップ用電池を取り替えるときには、主制御部の基板ケースは台間機本体に取り付けた状態のままにし、基板ケースの上ケースの凹部を覆って装着したカバーのみを開けるだけでその凹部内に収納したバックアップ用電池を容易に取り替えることができる。
【００１０】
【００１１】
【発明の実施の形態】
以下、本発明の実施の形態を図面に基づいて説明する。
図１ないし図３は本発明の一実施形態に係る遊技媒体貸出用台間機Ａを示し、この台間機Ａは、遊技機としてのパチンコ機Ｂの左側方に隣接して配置され、このパチンコ機Ｂに対し貸出データを送信して所定個数のパチンコ球を放出させるとともにカード発行機能を有するものである。
【００１２】
すなわち、台間機Ａは、遊技島内でパチンコ機Ｂに隣接して取り付けられたフレーム枠１と、このフレーム枠１に対し前側より差し込んで脱着可能に装着される台間機本体２とからなる。台間機本体２は、図４に詳示するように、紙幣識別機６、カードユニット７、主制御部８等の制御部及び電源部９を有しており、この台間機本体２の正面側を構成する正面パネル２ａには上側より順に紙幣投入口１１、カード挿入中ランプ１２、稼働中表示ランプ１３、カード挿入・取込口１４、カード切れランプ１５、カード満杯ランプ１６及びカード挿入ボタン１７が設けられている。そして、紙幣投入口１１に紙幣を投入すると紙幣識別機６でその投入紙幣が真正であることを確認した後カードユニット７がカード挿入・取込口１４よりカードを発行し、またカード挿入ボタン１７を押すとカードをカードユニット７に取り込み、右隣りのパチンコ機Ｂに対し貸出データを送信して所定個数のパチンコ球を放出させるようになっており、これらの制御及び各ランプ１２，１３，１５，１６の点灯又は点滅の制御は主制御部８等の制御部によって行われる。
【００１３】
上記主制御部８は、図５ないし図７に拡大詳示するように、矩形箱型の基板ケース２０内に２枚の制御基板２６，２７を二層構造で収納して構成されている。基板ケース２０は、台間機本体２の左側壁に当接する下ケース２１と、この下ケース２１に重ね合わせて内部空間を形成する上ケース２２とからなり、この基板ケース２０の四隅はそれぞれ台間機本体２の左側壁に突設した係合ピン２３によって拘束され、かつその中の一個所が固定金具２４を介して係合ピン２３に固定されている。
【００１４】
上記下ケース２１の底部２１ａには、図８及び図９にも示すように、その四隅部にそれぞれ上ケース２１と結合するボス部３１が突出して形成されているとともに、このボス部３１の周囲などにボス部３１よりも突出高さの低い複数の基板支持部３２，３２，…と突出高さの高いつまり上ケース２１側に突出して延びる複数の支持突起部３３，３３，…とが形成されている。一方、上ケース２２の天板部２２ａには、その四隅部にそれぞれ上記各ボス部３１に対応してネジ挿入部３６が突出して形成されているとともに、このネジ挿入部３６の周囲などにネジ挿入部３６よりも突出高さの低い複数の基板押え部３７，３７，…が形成されている。そして、上記２枚の制御基板２６，２７のうち、１枚目の制御基板２６は、下ケース２１と上ケース２２との合わせ面上で下ケース２１の基板支持部３２と上ケース２２のねじ挿入部３６とに挟持されて支持されており、２枚目の制御基板２７は、上ケース２２寄りの位置でその基板押え部３７により押し付けられた状態で下ケース２１の支持突起部３３上に支持されている。下ケース２１と上ケース２２とは、互いに重ね合わせた状態でそれらの四隅部で各々上ケース２１のネジ挿入部３６から下ケース２１のボス部３１にネジ３９止めをすることにより結合されている。尚、図８中、制御基板２６の輪郭は１点鎖線で、制御基板２７の輪郭は２点鎖線でそれぞれ示し、両者の輪郭が重なる部分は１点鎖線で示す。
【００１５】
上記上ケース２２の天板部２２ａには、制御基板２６，２７上の接続端子等の所定の電子部品２８が外部に面するように複数の窓４１，４１，…が形成されているとともに、バックアップ用のリチウム電池（図示せず）を収納する凹部４２が形成されており、この凹部４２を含む部分は、その天板部２２ａに形成した係合凸部４３に取り外し可能に装着された矩形状のカバー４４により覆われている。また、上ケース２２の後側壁部２２ｂには、図示していないがケーブル挿入口が設けられ、この挿入口を通してケーブル４６（図４参照）の一端が基板ケース２０内の制御基板２７に接続されるようになっており、上記ケーブル４６の他端側のケーブルコネクタ４７は、図１０に詳示するように、台間機本体２の背面部に後向きに設けられている。
【００１６】
上記電源部９は、図４に示すように、複数枚（図では４枚）の電源基板５１，５１，…
と、これらの電源基板５１，５１，…に電気的に接続された電源コネクタ５２とを有してなり、この電源コネクタ５２は、図１０に詳示するように、上述のケーブル４６他端側のケーブルコネクタ４７と同じく台間機本体２の背面部に後向きに設けられている。ここで、ケーブルコネクタ４７は、台間機本体２の背面板２ｂより後方に突出しているのに対し、電源コネクタ５２は、台間機本体２の背面板２ｂよりも正面寄りに設けた取付プレート５３に取り付けられ、かつ背面板２ｂに設けた開口部５４を通して背面に面するようになっている。
【００１７】
一方、上記フレーム枠１は、台間機本体２を前後方向にガイドするガイド面をそれぞれ有する上下一対の水平部１ａ，１ｂと、この両水平部１ａ，１ｂ同士を連結しかつ台間機本体２の装着状態でその背面部に当接する垂直部１ｃとからなり、この垂直部１ｃには、図４に示すようにその縦方向中央部に外部機器としての右隣りのパチンコ機Ｂ及び遊技場のホストコンピュータや専用端末等の管理装置６０（図１２参照）との間で信号を入出力するための外部通信用制御基板６１が設けられているとともに、縦方向下部に電源コード６２が接続されている。
【００１８】
上記外部通信用制御基板６１は、その基板面を前後方向に向けた状態で取り付けられており、この制御基板６１の後面側には外部機器と接続するためのコネクタ６３ａ，６３ｂ，６３ｃが設けられている一方、制御基板６１の前面側には、図１１にも示すように、外部通信用コネクタ（主制御部８と外部機器との接続用コネクタともいう）６４が前向きに設けられている。また、上記電源コード６２側のコネクタ６５も、フレーム枠１に対し前向きに設けられている。そして、台間機本体２をフレーム枠１に前側より差し込んで装着する時台間機本体２側のケーブルコネクタ４７及び電源コネクタ５２が、それぞれフレーム枠１側の外部通信用コネクタ６４及び電源コード側コネクタ６５に接続し合うようになっている。
【００１９】
さらに、上記主制御部８は、電子回路構成上、図１２に示すように、制御主体であるＣＰＵ８１と、制御プログラム及び固定データを格納するＲＯＭ８２と、データの読み書きに用いられるＲＡＭ８３とを有しており、台間機本体２をフレーム枠１に装着した時この主制御部８は電源部９を介して電源の供給を受けるとともに、外部通信用制御基板６１を介して管理装置６０等の外部機器との間で通信可能となり、この状態において図１３に示すフローチャートに従って自己機能チェックが作動するようになっている。
【００２０】
すなわち、図１３において、先ず、ステップＳ１で電源の供給を受ける電源ＯＮでかつ外部機器との間での通信可能な状態で制御を開始し、ステップＳ２で断線チェック、ＲＯＭ８２に記憶された呼び出し番号と外部設定番号との同一チェック及び外部機器との間での通信テストなどの自己機能チェックを行う。そして、ステップＳ３で異常があるか否かを判定し、その判定がＹＥＳの異常のときにはステップＳ４で警報を発するなどのエラー処理を行う一方、判定がＮＯの正常のときにはステップＳ５で稼動モードに移行する。
【００２１】
従って、上記実施形態においては、台間機Ａの修理・点検等のために台間機本体２をフレーム枠１から前側に引き出して取り外す時にはその引き出し動作に伴って台間機本体２側の２つのコネクタ、つまり主制御部８に一端が接続されたケーブル４６の他端のケーブルコネクタ４７及び電源コネクタ５２が、それぞれこれらに対応したフレーム枠１側の２つのコネクタ、つまり外部通信用制御基板６１の外部通信用コネクタ６４及び電源コード６２側のコネクタ６５から外れ、また台間機本体２をフレーム枠１に前側より差し込んで取り付ける時にはその差し込み動作に伴って台間機本体２側の２つのコネクタ４７，５２がそれぞれフレーム枠１側の２つのコネクタ６４，６５に接続するため、台間機Ａの修理・点検等に伴う配線作業を簡略化することができ、作業性の向上を図ることができる。
【００２２】
また、台間機Ａの修理・点検時に主制御部８のバックアップ用電池を取り替えるときには、台間機本体２をフレーム枠１から引き出して取り外した後、主制御部８の基板ケース２０を台間機本体２の左側壁に取り付けた状態のまま上ケース２２側のカバー４４を取り外し、凹部４２内に収納されたバックアップ用電池を取り出すことにより、バックアップ用電池の取り替えを容易に行うことができ、作業性の向上を一層図ることができる。
【００２３】
その上、上記主制御部８は、台間機本体２をフレーム枠１に装着した時電源ＯＮでかつ外部機器との間での通信可能な状態となることによって断線チェックや外部通信チェック等の自己機能チェックが作動するようになっているため、作業者によるチェック作業を省略又は簡略にすることができ、作業性の向上をより一層図ることができる。
【００２４】
さらに、上記主制御部８は、基板ケース２０内に２枚の制御基板２６，２７を二層構造で収納してなるため、主制御部８をコンパクト化することができ、横幅が狭小で内部空間の少ない台間機Ａでもその分部品レイアウトの自由度を高めることができるなどの効果を有する。
【００２５】
尚、上記実施形態では、遊技媒体貸出用台間機として、隣接するパチンコ機Ｂに対し貸出データを送信して所定個数のパチンコ球を放出させるとともにカード発行機能を有するパチンコ球貸出用台間機Ａについて述べたが、本発明は、現金（紙幣又は硬貨）の投入によりパチンコ球の貸出を行う現金機用台間機、磁気カードやＩＣカードの投入によりパチンコ球の貸出を行うカード式台間機の他、スロットマシンの側方に配置されそれに使用するメダルを貸し出し、あるいは貸出メダルをクレジット記録できるスロットマシン用の台間機などにも同様に適用することができるのは勿論である。
【００２６】
【発明の効果】
以上のように、本発明の遊技媒体貸出用台間機によれば、台間機本体をフレーム枠に差し込んで装着する時その差し込み動作に伴って台間機本体の電源コネクタとフレーム枠に設けた電源コード側コネクタとが接続し合うとともに、台間機本体の主制御部に一端が接続されたケーブルの他端のケーブルコネクタとフレーム枠に設けた外部通信用コネクタとが接続し合うため、修理・点検時での配線作業がその分容易なものになり、作業性の向上に寄与することができる。しかも、台間機本体をフレーム枠に装着した時主制御部が断線チェックや外部通信チェック等の自己機能チェックを行うため、作業者によるチェック作業を省略又は簡略にすることができ、作業性の向上を一層図ることができる。
【００２７】
【００２８】
特に、請求項３に係る発明では、基板ケース内に２枚の制御基板を二層構造で収納して主制御部を構成することにより、主制御部のコンパクト化を図ることができ、殊に横幅が狭小な台間機に適用するのに好ましいものである。
【００２９】
また、請求項４に係る発明では、主制御部のバックアップ用電池を取り替えるときには基板ケースの上ケースの凹部を覆って装着したカバーのみを開けだけでその凹部内に収納したバックアップ用電池を容易に取り替えることができ、その作業性の向上を図ることができるという効果をも有する。
【００３０】
【図面の簡単な説明】
【図１】  本発明の実施形態に係る台間機及びパチンコ機の斜視図である。
【図２】  上記台間機の側面図である。
【図３】  台間機を台間機本体とフレーム枠とに分離した状態の側面図である。
【図４】  台間機の内部構造を示す一部切開側面図である。
【図５】  台間機の主制御部の平面図である。
【図６】  図５のＬ−Ｌ線における断面図である。
【図７】  図５のＭ−Ｍ線における断面図である。
【図８】  上記主制御部の基板ケースの下ケースの平面図である。
【図９】  図８のＮ−Ｎ線における断面図である。
【図１０】  図３のＸ方向から見た矢視図である。
【図１１】  図３のＹ方向から見た矢視図である。
【図１２】  台間機本体をフレーム枠に装着したときの台間機の配線状態を示すブロック構成図である。
【図１３】  台間機の自己機能チェックのフローチャート図である。
【符号の説明】
Ａ    遊技媒体貸出用台間機
１    フレーム枠
１ａ  垂直部
２    台間機本体
２ａ  背面板
６    紙幣識別機
７    カードユニット
８    主制御部
９    電源部
２０    基板ケース
２１    下ケース
２２    上ケース
２６，２７    制御基板
３３    支持突起部
４２    凹部
４４    カバー
４６    ケーブル
４７    ケーブルコネクタ
５２    電源コネクタ
５４    開口部
６１    外部通信用制御基板
６２    電源コード
６３ａ，６３ｂ，６３ｃ    コネクタ
６４    外部通信用コネクタ
６５    電源コード側コネクタ
【図１】
0004542237.tif 000002
【図２】
0004542237.tif 000003
【図３】
0004542237.tif 000004
【図４】
0004542237.tif 000005
【図５】
0004542237.tif 000006
【図６】
0004542237.tif 000007
【図７】
0004542237.tif 000008
【図８】
0004542237.tif 000009
【図９】
0004542237.tif 000010
【図１０】
0004542237.tif 000011
【図１１】
0004542237.tif 000012
【図１２】
0004542237.tif 000013
【図１３】
0004542237.tif 000014